(57)【要約】      （修正有）【課題】テーブルや机上で所定の位置に安定して固定できる、良好な滑り止め機能を有しつつ、剥離するときの糊残りがなく、かつ透明性を有する粘着層を備えた積層体、および該積層体からなる机上用シート、テーブルカバー、トレー、マウスパッドおよびコースターを提供する。【解決手段】基材１２と、前記基材の少なくとも片面に形成され、滑り止め機能を有する粘着層１４と、を含む積層体によりテーブルカバー等を構成する。【選択図】図１
0003157694.tif 000002
【実用新案登録請求の範囲】
【請求項１】
基材と、
前記基材の少なくとも片面に形成され、滑り止め機能を有する粘着層と、
を含む、積層体。
【請求項２】
前記粘着層が、前記基材の少なくとも片面の少なくとも一部に形成される、請求項１に記載の積層体。
【請求項３】
前記粘着層の、
２３℃における引張弾性率が３〜５０ＭＰａであり、かつ
ＡＳＴＭ  Ｄ１２３８に従って２３０℃、荷重２．１６ｋｇで測定されるＭＦＲが１〜１００ｇ／１０分である、請求項１または２に記載の積層体。
【請求項４】
前記粘着層が、
オレフィン系エラストマー、スチレン系エラストマー、ウレタン系エラストマー、ポリエステル系エラストマー、ニトリル系エラストマー、ポリアミド系エラストマーおよびフッ素系エラストマーからなる群より選ばれる少なくとも１種の樹脂である、請求項１〜３のいずれか一項に記載の積層体。
【請求項５】
前記基材は、樹脂、布、紙、木材、および無機材からなる群より選ばれる少なくとも１種で構成される、請求項１〜４のいずれか一項に記載の積層体。
【請求項６】
前記基材の表面には、絵柄およびエンボス加工の少なくとも一方が施されている、請求項１〜５のいずれか一項に記載の積層体。
【請求項７】
請求項１〜６のいずれか一項に記載の積層体からなる机上用シート。
【請求項８】
請求項１〜６のいずれか一項に記載の積層体からなるテーブルカバー。
【請求項９】
請求項１〜６のいずれか一項に記載の積層体からなるトレー。
【請求項１０】
請求項１〜６のいずれか一項に記載の積層体からなるマウスパッド。
【請求項１１】
請求項１〜６のいずれか一項に記載の積層体からなるコースター。
【考案の詳細な説明】
【技術分野】
【０００１】
本考案は、机やテーブル等の平滑な平面上に簡単に固定するための滑り止め機能を有する積層体、および該積層体からなる机上用シート、テーブルカバー、トレー、マウスパッドおよびコースターに関する。
【背景技術】
【０００２】
テーブルや机等の上面を保護するために、テーブルや机の上に敷いて用いるテーブルカバーや机上用シートなどがある。これらのテーブルカバーや机上用シートの多くは、塩化ビニル製のフィルムなどで構成される。テーブルカバーは、この他にも織物や編物等の繊維材料で構成されるものもあった。
【０００３】
しかしながら、これらのテーブルカバーや机上用シートは、机やテーブル上で滑り易いため、所定の位置に安定して固定することが難しいという問題があった。
【０００４】
これに対して、粘着層からなる滑り止め層を有する机上用シートやテーブルカバーが提案されている（例えば特許文献１〜３参照）。さらに、滑り止め層を有するマウスパッドも提案されている（例えば特許文献４参照）。
【先行技術文献】
【特許文献】
【０００５】
【特許文献１】実用新案登録第３０７６３１５号公報
【特許文献２】実用新案登録第３０４９９７４号公報
【特許文献３】実用新案登録願平２−１０５７７１号公報
【特許文献４】実用新案登録第３０３８９９８号公報
【考案の概要】
【考案が解決しようとする課題】
【０００６】
しかしながら、これらの机上用シート、テーブルカバーおよびマウスパッド等における、滑り止め層の粘着性の制御が難しかった。つまり、滑り止め機能を高めすぎると、テーブルカバー等をテーブルから剥離しようとするときに糊残りし易く、テーブルカバー等のテーブルからの剥離性を高めすぎると、十分な滑り止め効果が得られ難い。
【０００７】
さらに食器を運ぶトレーやコースターでは、それらに載せた食器が滑り落ちるのを制止するために、トレーやコースターの裏面だけでなく表面に滑り止め層を形成することがある。ところが、トレーやコースターの表面には、絵柄が施されていることが多いため、その表面に形成される滑り止め層には、絵柄による美感を損なわないための透明性を有することが望まれる。
【０００８】
本考案は、このような事情に鑑みてなされたものであり、テーブルや机上で所定の位置に安定して固定できる、良好な滑り止め機能を有しつつ、机やテーブルから剥離するときの糊残りがなく、かつ透明性を有する粘着層を備えた積層体、および該積層体からなる机上用シート、テーブルカバー、トレー、マウスパッドおよびコースターを提供することを目的とする。
【課題を解決するための手段】
【０００９】
［１］  基材と、前記基材の少なくとも片面に形成され、滑り止め機能を有する粘着層とを含む、積層体。
［２］  前記粘着層が、前記基材の少なくとも片面の少なくとも一部に形成される、［１］に記載の積層体。
［３］  前記粘着層が、２３℃における引張弾性率が３〜５０ＭＰａであり、かつＡＳＴＭ  Ｄ１２３８に従って２３０℃、荷重２．１６ｋｇで測定されるＭＦＲが１〜１００ｇ／１０分の樹脂からなる、［１］または［２］に記載の積層体。
［４］  前記粘着層が、オレフィン系エラストマー、スチレン系エラストマー、ウレタン系エラストマー、ポリエステル系エラストマー、ニトリル系エラストマー、ポリアミド系エラストマーおよびフッ素系エラストマーからなる群より選ばれる少なくとも１種の樹脂である、［１］〜［３］のいずれかに記載の積層体。
［５］  前記基材は、樹脂、布、紙、木材および無機材からなる群より選ばれる少なくとも１種で構成される、［１］〜［４］のいずれかに記載の積層体。
［６］  前記基材の表面には、絵柄およびエンボス加工の少なくとも一方が施されている、［１］〜［５］のいずれかに記載の積層体。
［７］  ［１］〜［６］のいずれかに記載の積層体からなる机上用シート、テーブルカバー、トレー、マウスパッドまたはコースター。
【考案の効果】
【００１０】
本考案の積層体は、滑り止め機能を有する粘着層を有するので、基材に良好な滑り止め機能を付与できるとともに、糊残りせずに容易に剥離できる。さらに、滑り止め機能を有する粘着層が透明性を有するので、基材の絵柄などが施されている面にも、美感を損なうことなく粘着層を形成して滑り止め機能を付与できる。
【図面の簡単な説明】
【００１１】
【図１】本考案の積層体からなるテーブルカバーの一例を示す断面図である。
【図２】本考案の積層体からなるコースターの一例を示す斜視図である。
【図３】本考案の積層体からなるトレーの一例を示す断面図である。
【図４】本考案の積層体からなるマウスパッドの一例を示す斜視図である。
【考案を実施するための形態】
【００１２】
本考案の積層体は、基材層と、基材層の少なくとも片面に設けられる、滑り止め機能を有する粘着層とを含む。これらの積層体は、後述するように、例えばテーブルカバー、机上用シート、食器トレーまたはマウスパッド等でありうる。
【００１３】
粘着層について
粘着層は、基材層の片面または両面に設けられる。粘着層は、基材層の片面または両面の全面に均一に設けられてもよいし、基材層の片面または両面の一部に設けられてもよい。基材の片面の一部に形成されるとは、粘着層が、例えば基材の一部の領域のみに設けられたり、島状の粘着層が点在するように設けられたりする場合が含まれる。その場合、粘着層の形状は、特定に制限されず、矩形状、丸状、線状などのいずれでもよい。
【００１４】
粘着層は、樹脂で構成される。粘着層の、２３℃における引張弾性率は３〜５０ＭＰａであることが好ましい。引張弾性率が上記範囲より小さいと、例えばテーブルカバーをテーブルから剥がそうとした際に、テーブルカバー裏面の粘着層が柔らいため糊残りしやすくなる。一方、引張弾性率が上記範囲よりも大きいと、テーブルカバー裏面の粘着層が硬いため、滑り止め効果が得られにくくなる。本考案における、粘着層の引張弾性率は、引張試験機ＡＧＳ−１００Ｄ（島津製作所製）により測定される。
【００１５】
粘着層の、ガラスとの粘着力（ＪＩＳ  Ｚ０２３７）が、０．３〜５０Ｎ／２５ｍｍの範囲であることが好ましい。一般的に、ガラスとの粘着力が大きいと、テーブルや机上で滑りにくいため好ましい。一方、ガラスとの粘着力が大きすぎても、例えばテーブルカバー等をテーブルから剥がす際に、テーブルカバー裏面の粘着層が糊残りしやすい。したがって、粘着層のガラスとの粘着力は、好ましくは０．５〜１０Ｎ／２５ｍｍであり、より好ましくは２〜５Ｎ／２５ｍｍの範囲である。
【００１６】
なお本考案における粘着力（ＪＩＳ  Ｚ０２３７）は、ガラス板の表面に貼着し、６０分間放置後にガラス板の表面から剥離したときの粘着力をいう。
【００１７】
粘着層の、ＡＳＴＭ  Ｄ１２３８に従って２３０℃、荷重２．１６ｋｇで測定されるＭＦＲが１〜１００ｇ／１０分であることが好ましい。ＭＦＲが上記範囲よりも小さいと樹脂が流動し難く、上記範囲よりも大きいと樹脂が流動しすぎて、いずれも粘着層を均一な形状に成形し難いからである。
【００１８】
粘着層は、さらに透明性を有することが好ましい。例えばテーブルカバーの絵柄が施された面に粘着層を形成するときに、テーブルカバーの絵柄を見えにくくすることなく、美感を維持できるからである。
【００１９】
例えば、粘着層のヘイズは小さいほど好ましく、３％以下であることが好ましく、２％以下であることがより好ましく、それよりも小さいとさらに好ましい。ヘイズとは、ＪＩＳ  Ｋ７１３６に従い測定されたものであり、例えば濁度計（曇り度計）ＮＤＨ２０００（Ｎｉｐｐｏｎ  Ｄｅｎｓｈｏｋｕ社製）により測定することができる。
【００２０】
このように、糊残りがなく、かつ透明性が維持できる粘着層を構成する樹脂の例には、オレフィン系エラストマー、スチレン系エラストマー、ウレタン系エラストマー、ポリエステル系エラストマー、ニトリル系エラストマー、ポリアミド系エラストマー、フッ素系エラストマーなどが好ましい。具体的には、Ｎｏｔｉｏ（三井化学株式会社、登録商標）、タフマー、ミラストマー（三井化学株式会社製、登録商標）、ダイナロン（ＪＳＲ社製、登録商標）などが含まれるが、これらに限られるものではない。一方、塩素などのハロゲンを含有する樹脂は、廃棄する際に燃焼処理を行うと、ダイオキシン等の有害物質が発生する可能性がある。その意味ではポリ塩化系樹脂などではないほうが好ましい。
【００２１】
粘着層の厚さは、用途にもよるが、例えば１０μｍ〜３ｍｍ程度である。
【００２２】
基材について
基材は、例えば樹脂、布、紙、木材、無機材または金属からなるシート等である。基材の表面には、必要に応じて、絵柄やエンボス加工が施されたり、撥水加工が施されたりしてもよい。
【００２３】
絵柄が施された基材は、積層体の美感を高めうる。絵柄には、一色または多色の、模様、絵、写真などが含まれ、その他にも文字、数字、記号および地模様なども含まれる。
【００２４】
エンボス加工が施された基材は、例えば本考案の積層体がテーブルカバーである場合には、その上に置いた食器等が滑るのを防止したり、マウスパッドである場合には、その上を転がるマウスボールのスリップを防止したりできる。エンボス加工の例には、梨地エンボスなどが含まれる。梨地エンボスとは、いわゆる布目エンボス、砂目エンボスなどを含む細かいエンボス模様の総称である。
【００２５】
基材の厚みは、基材に求められる機能や用途に応じて設定される。たとえばテーブルカバーや机上用シートの基材は２０〜８０μｍであることが好ましく、５０μｍ前後であることがより好ましく、コースターやトレーの基材は５０μｍ〜５ｍｍ程度であることが好ましい。
【００２６】
本考案の積層体には、基材層の耐摩耗性や耐水性を高める観点などから、必要に応じて保護層が含まれてもよい。保護層は、樹脂（合成樹脂など）で構成され、好ましくは透明な樹脂であることが好ましい。保護層が透明であれば、基材に施された絵柄を、保護層を介して邪魔されずに見えるようにすることができるからである。
【００２７】
保護層にも、前述と同様に、エンボス加工が施されたり、撥水加工が施されたりしてもよい。保護層を構成する樹脂の例には、ポリエチレン、ポリプロピレン等が含まれる。
【００２８】
これらの積層体は、任意の方法で製造することができる。たとえば、粘着層を構成する樹脂と、基材層を構成する樹脂とを共押出しして積層シートを得る方法；基材シートと粘着シートとを熱圧着または貼着して積層シートを得る方法：基材シート上に、粘着剤を塗布・乾燥して積層シートを得る方法等がある。そして、得られた積層シートを、用途に応じて、所定のサイズや形に裁断することで、本考案の積層体を得ることができる。
【００２９】
積層体の用途によっては、既製の基材に、所定のサイズに裁断された粘着シートを貼着して積層体を得ることもできる。このような粘着シートは、離型フィルムと、その上に配置した粘着層とを有し、粘着層を貼着する際に、離型フィルムを剥がして粘着層を形成すればよい。離型フィルムは、例えばポリプロピレン、ポリエチレンテレフタレート、ポリ塩化ビニル等でありうる。
【００３０】
このように、本考案によれば、滑り止め機能を有する粘着層が、基材層の少なくとも片面に形成されているため、基材層に良好な滑り止め機能を付与できる。このため、滑り止め機能を有する粘着層を基材層の下面に配置した場合には、テーブルや机等の面にセットして軽く押えると、テーブルや机等の面に擬似的に接着させて固定することができる。一方、基材層に対する押えを止めることで、テーブルや机等の面から、糊残りなく容易に剥離することができる。  
【００３１】
また、滑り止め機能を有する粘着層を基材層の上面に配置した場合には、（例えば本考案の積層体がトレーやコースターであれば）その上に載せた食器等が滑って移動するのを抑止できる。さらに粘着層が透明性を有するので、基材層の表面に施された絵柄が粘着層を介しても見えるため、美感を維持できる。
【００３２】
本考案の積層体は、前述の通り、テーブルカバー、机上用シート、食器トレーまたはマウスパッド等として用いられるが、その他にも滑り止め機能が必要な用途に幅広く用いられる。
【００３３】
以下において、各実施形態について図面を参照しながら説明する。図１は、本考案の積層体からなるテーブルカバーの一例を示す断面図である。図１（Ａ）に示されるように、テーブルカバー１０は、基材層１２と、その片面に形成された粘着層１４とを有する。図１（Ｂ）に示されるように、テーブルカバー１０’は、基材層１２と、その両面に形成された粘着層１４および１４とを有してもよい。
【００３４】
テーブルカバー１０の基材層１２は、前述の基材層であり、例えば樹脂、布または紙などのシートである。粘着層１４は、前述の滑り止め機能を有する粘着層である。
【００３５】
図１（Ａ）のテーブルカバー１０では、粘着層１４がテーブル側になるように配置されても、テーブルとは反対側（食器を置く側）に配置されてもよい。粘着層１４がテーブル側になるように配置されれば、テーブルカバーが、テーブル（不図示）上で滑るのを抑制でき、安定に所定の位置にセットすることができる。一方、粘着層１４が、テーブルとは反対側（食器を置く側）に配置されれば、食器等がテーブルカバー１０上で滑るのを抑制できる。この場合、粘着層１４が透明性を有していれば、基材層１２の表面に施された絵柄やデザインを、粘着層１４を介しても見ることができるので、美感を損なわない。
【００３６】
さらに図１（Ｂ）のテーブルカバー１０’では、基材１２の両面に粘着層１４および１４が配置されるので、テーブルカバーがテーブル上で滑るのを抑制できるとともに、食器等がテーブルカバー上で滑ることも抑制できる。
【００３７】
図１（Ｂ）では、基材層１２の上側の粘着層１４の代わりに、透明な保護層を配置してもよい。これにより、基材層１２に、耐摩耗性や耐水性を付与できる。
【００３８】
本考案の積層体は、机上用シートとしても用いられうる。机上用シートとは、例えばランチョンマットやコースター等でありうる。
【００３９】
図２（Ａ）は、本考案の積層体からなるコースターの使用形態の一例を示す斜視図であり、図２（Ｂ）は、図２（Ａ）のコースターの積層状態の一例を示す断面図である。図２（Ｂ）に示されるように、コースター２０は、基材層２２と、その両面に形成される粘着層２４および２４と、を有する。
【００４０】
基材層２２は、前述した通り、樹脂、布、金属または紙などのシートでありうるが、好ましくは紙材または樹脂のシートである。粘着層２４および２４は、前述の滑り止め機能を有する粘着層である。
【００４１】
コースター２０は、その下側（テーブル側）に配置された粘着層２４を介してコップ２３等の重さによりテーブル上に擬似的に接着されるため、滑りにくい。またコースター２０は、その上側（コップ２３等を置く側）にも粘着層２４を有するので、コップ２３等が滑るのを防止できる。さらに、粘着層２４が透明性を有していれば、例えば基材層２２の表面に施された絵柄が見えるので、美感を維持できる。
【００４２】
本考案の積層体は、物品搬送用のトレーなどとしても用いられる。図３は、本考案の積層体からなるトレーの使用形態の一例を示す断面図である。図３に示されるように、トレー３０は、トレー基材３２（基材層）と、トレー基材３２の、コップ２３等を載せる面に配置された粘着層３４とを有する。
【００４３】
トレー基材３２は、前述した通り、金属、樹脂、木材等でありうる。粘着層３４は、前述の滑り止め機能を有する粘着層である。
【００４４】
粘着層３４が、トレー基材３２のコップ２３等を載せる側に配置されるので、トレー基材３２に載せられたコップ２３等が滑るのを防止できる。さらに、粘着層３４が透明性を有していれば、トレー基材３２の絵柄やデザインが邪魔されない。このため、トレー基材３２の内側に、例えばメニュー等を敷いておき、その上に透明な粘着層３４を配置すれば、トレー３０を（食器等を運ぶだけでなく）メニューとしても用いることができる。このため、レストラン等で便利に使用できる。
【００４５】
同図では、粘着層３４がトレー基材３２の内側（コップ２３等を載せる面）に配置される例であるが、粘着層３４はトレー基材３２の外側（テーブルと接する側）に配置してもよい。
【００４６】
本考案の積層体は、マウスパッドとしても用いられる。図４は、本考案の積層体からなるマウスパッドの一例を示す斜視図である。このうち図４（Ａ）は、マウスパッドの使用形態の一例を示す斜視図であり、図４（Ｂ）は、マウスパッドの分解斜視図である。図４（Ａ）に示される通り、マウスパッド４０は、基材層４２と、その両面の形成される粘着層４４および４４と、を有する。
【００４７】
マウスパッド４０は、その下側（テーブル側）に配置された粘着層４４を介してテーブル上に擬似的に接着されて固定されるため、テーブル上で滑って移動しにくい。
【００４８】
またマウスパッド４０の上側（マウス４３側）にも粘着層４４が配置されるので、マウスパッド４０上でマウス４３がスリップするのを抑制できる。さらに粘着層４４が透明であれば、図４（Ａ）に示されるように絵柄を見ることができ、美感を維持できる。
【００４９】
基材層４２の上側の粘着層４４の代わりに、透明な保護層を配置してもよい。これにより、基材層４２に耐摩耗性や耐水性を付与できる。
【符号の説明】
【００５０】
１０、１０’  テーブルカバー
１２、２２、３２、４２  基材層
１４、２４、３４、４４  粘着層
２０  コースター
２３  コップ
３０  トレー
４０  マウスパッド
４３  マウス
【図１】
0003157694.tif 000003
【図２】
0003157694.tif 000004
【図３】
0003157694.tif 000005
【図４】
0003157694.tif 000006